(57)【要約】【課題】レンズに損傷を与えることなく、常にレンズをクリアな状態にしてルーペを使用することができるようにする。【解決手段】レンズ２０をケース１０に対して出し入れするときレンズ２０の両面に接触可能なレンズ清掃クロス９を、ケース１０のレンズ出入り口２１の近傍に配置した。【選択図】図２
2012027184.tif 000002
【特許請求の範囲】
【請求項１】
ケースと、
前記ケースに対して出し入れ可能に連結されたレンズと、
前記ケースに設けられ、前記レンズを前記ケースに対して出し入れするとき前記レンズの両面に接触可能なレンズ清掃クロスと
を備えていることを特徴とするルーペ。
【請求項２】
前記ケースの前記レンズ清掃クロスが設けられた部分を撓ませることができるようにしたことを特徴とする請求項１記載のルーペ。
【請求項３】
前記レンズ清掃クロスは、前記ケースのレンズ出入り口の近傍に配置されていることを特徴とする請求項１又は２記載のルーペ。
【請求項４】
前記レンズ清掃クロスの前記レンズ出入り口側の周縁部をテーパ形状としたことを特徴とする請求項３記載のルーペ。
【請求項５】
前記レンズが前記ケースに収容されているとき、前記レンズと前記レンズ清掃クロスとは接触することを特徴とする請求項１〜４のいずれか１項記載のルーペ。
【請求項６】
前記レンズ清掃クロスは交換可能であることを特徴とする請求項１〜５のいずれか１項記載のルーペ。
【請求項７】
前記レンズはレンズ本体と前記レンズ本体の収納方向の後側を保持するレンズ枠とからなることを特徴とする請求項１〜６のいずれか１項記載のルーペ。
【請求項８】
ソフトケースと、
前記ソフトケースと別体であり、前記ソフトケースに対して出し入れ可能なレンズと、
前記ソフトケースに設けられたレンズ清掃クロスと
を備えていることを特徴とするルーペセット。
【請求項９】
前記レンズ清掃クロスは、前記ソフトケースの内側全面に配置されていることを特徴とする請求項８記載のルーペセット。
【請求項１０】
前記レンズ清掃クロスは交換可能であることを特徴とする請求項８又は９記載のルーペセット。
【請求項１１】
ソフトケース本体と、
前記ソフトケース本体に設けられたレンズの両面に接触可能なレンズ清掃クロスと
を備えていることを特徴とするソフトケース。
【請求項１２】
前記レンズ清掃クロスは、前記ソフトケース本体の内側全面に配置されていることを特徴とする請求項１１記載のソフトケース。
【発明の詳細な説明】
【技術分野】
【０００１】
この発明はルーペ、ルーペセット及びソフトケースに関する。
【背景技術】
【０００２】
従来のルーペとして下記の特許文献に記載されたものが知られている。
【０００３】
このルーペは、レンズの外周部を保持するレンズ枠と、レンズ枠に設けられた一対のスライドカバーとを備えている。スライドカバーをレンズ枠の中央部までそれぞれスライドさせるとスライドカバーがレンズを覆い、スライドカバーをレンズ枠の両端部までそれぞれスライドさせるとスライドカバーがレンズ枠に対して揺動可能になる。
【先行技術文献】
【特許文献】
【０００４】
【特許文献１】特開２０００−２８４１９１号公報
【発明の概要】
【発明が解決しようとする課題】
【０００５】
上記ルーペのレンズを清掃するにはレンズ清掃クロスを用意する必要がある。もし外出時等にレンズ清掃クロスを携帯し忘れた場合、レンズ清掃クロスの代替品としてハンカチ等を使用せざるを得なかった。しかし、ハンカチ等による清掃では、レンズ清掃クロスと同程度にレンズをクリアな状態にしてルーペを使用することが難しいばかりでなく、レンズに傷を生じさせる原因にもなっていた。
【０００６】
この発明はこのような事情に鑑みてなされたもので、その課題はレンズに損傷を与えることなく、常にレンズをクリアな状態にしてルーペを使用することができるようにすることである。
【課題を解決するための手段】
【０００７】
上記課題を解決するため請求項１記載の発明は、ケースと、前記ケースに対して出し入れ可能に連結されたレンズと、前記ケースに設けられ、前記レンズを前記ケースに対して出し入れするとき前記レンズの両面に接触可能なレンズ清掃クロスとを備えていることを特徴とする。
【０００８】
請求項２記載の発明は、請求項１記載のルーペにおいて、前記ケースの前記レンズ清掃クロスが設けられた部分を撓ませることができるようにしたことを特徴とする。
【０００９】
請求項３記載の発明は、請求項１又は２記載のルーペにおいて、前記レンズ清掃クロスは、前記ケースのレンズ出入り口の近傍に配置されていることを特徴とする。
【００１０】
請求項４記載の発明は、請求項３記載のルーペにおいて、前記レンズ清掃クロスの前記レンズ出入り口側の周縁部をテーパ形状としたことを特徴とする。
【００１１】
請求項５記載の発明は、請求項１〜４のいずれか１項記載のルーペにおいて、前記レンズが前記ケースに収容されているとき、前記レンズと前記レンズ清掃クロスとは接触することを特徴とする。
【００１２】
請求項６記載の発明は、請求項１〜５のいずれか１項記載のルーペにおいて、前記レンズ清掃クロスは交換可能であることを特徴とする。
【００１３】
請求項７記載の発明は、請求項１〜６のいずれか１項記載のルーペにおいて、前記レンズはレンズ本体と前記レンズ本体の収納方向の後側を保持するレンズ枠とからなることを特徴とする。
【００１４】
請求項８記載の発明は、ソフトケースと、前記ソフトケースと別体であり、前記ソフトケースに対して出し入れ可能なレンズと、前記ソフトケースに設けられたレンズ清掃クロスとを備えていることを特徴とする。
【００１５】
請求項９記載の発明は、請求項８記載のルーペセットにおいて、前記レンズ清掃クロスは、前記ソフトケースの内側全面に配置されていることを特徴とする。
【００１６】
請求項１０記載の発明は、請求項８又は９記載のルーペセットにおいて、前記レンズ清掃クロスは交換可能であることを特徴とする。
【００１７】
請求項１１記載の発明は、ソフトケース本体と、前記ソフトケース本体に設けられたレンズの両面に接触可能なレンズ清掃クロスとを備えていることを特徴とする。
【００１８】
請求項１２記載の発明は、請求項１１記載のソフトケースにおいて、前記レンズ清掃クロスは、前記ソフトケース本体の内側全面に配置されていることを特徴とする。
【発明の効果】
【００１９】
この発明によれば、レンズに損傷を与えることなく、常にレンズをクリアな状態にしてルーペを使用することができる。
【図面の簡単な説明】
【００２０】
【図１】図１はこの発明の第１実施形態に係るルーペのレンズをケースに収容した状態を示す平面図である。
【図２】図２はレンズをケースから引き出した状態のルーペの平面を示す概念図であり、上カバー２の図示は省略されている。
【図３】図３はレンズをケースから引き出したときのルーペの側断面を示す概念図である。
【図４】図４はこの発明の第２実施形態に係るルーペのレンズをケースに収容した状態を示す平面図である。
【図５】図５はレンズをケースから引き出した状態のルーペの平面を示す概念図である。
【図６】図６（ａ）はレンズをケースから引き出したときのケースとレンズ清掃クロスの断面を示す概念図、図６（ｂ）はレンズ清掃クロスの部分拡大図である。
【図７】図７はこの発明の第３実施形態に係るルーペのレンズをケースに収容したときのルーペの断面を示す概念図である。
【図８】図８はこの発明の第４実施形態に係るルーペをソフトケースに収容した状態を示す平面図である。
【発明を実施するための形態】
【００２１】
以下、この発明の実施の形態を図面に基づいて説明する。
【００２２】
図１はこの発明の第１実施形態に係るルーペのレンズをケース１０に収容した状態を示す平面図、図２はレンズをケースから引き出した状態のルーペの平面を示す概念図、図３はレンズをケース１０から引き出したときのルーペの側断面を示す概念図である。図２では上カバー２の図示は省略されている。図３ではレンズ清掃クロス９にだけハッチングをいれた。
【００２３】
このルーペはケース１０とケース１０に収容されるレンズ２０とを備えている。レンズ２０はレンズ本体４とレンズ本体４を保持するレンズ枠３とで 構成される。
【００２４】
ケース１０は楕円の平面形状を有する下カバー１と上カバー２とを連結して構成される。ケース１０のレンズ出入口は開口した状態、反対側は閉じた状態になっている。下カバー１及び上カバー２のそれぞれに設けた凹凸部でレンズ枠３が回転出し入れ可能に保持される(図３参照)。
【００２５】
ケース１０のレンズ出入り口２１の近傍にレンズ２０（レンズ本体４）の両面に接触可能なレンズ清掃クロス９が配置されている。レンズ清掃クロス９は下カバー１と上カバー２とにそれぞれ形成された貼り付け溝１ａ，２ａにそれぞれ図示しない両面テープ（又は接着剤）９ａで貼り付けられている。なお、レンズ清掃クロス９は交換可能である。また、前記溝を設けないで、貼付場所をシルク印刷等で明示してもよい。いずれの構成においても、レンズ清掃クロス９を貼り付ける位置が判別しやすく、交換するのに好ましい。
【００２６】
レンズ清掃クロス９が貼り付けられた部分を撓ませることができるように、貼り付け溝１ａ，２ａが形成された部分及びその周囲の薄肉部分Ｒの肉厚はその他の部分の肉厚より薄くなっている。
【００２７】
レンズ枠３の一端部は下カバー１の端部に固定されたレンズ回転軸６に固定ねじ８で回転可能に支持されている。固定ねじ８の頭部とレンズ枠３との間及びレンズ枠３と下カバー１との間にはそれぞれワッシャ７とクリック部（図示せず）が設けられており、使用位置、収容位置で確実に保持される。使用しない場合にはレンズ２０は図２、３に示す状態から回転軸６を中心として回転して図１に示すようにケース１０に収容される。
【００２８】
また、レンズ枠３の他端部には、レンズ枠３をケース１０から引き出すための突起３ａが設けられている。
【００２９】
なお、レンズ清掃クロス９が貼り付けられた部分を撓ませるには、例えば親指と人差し指とでケース１０を挟みつければよい。
【００３０】
次に、レンズ２０の清掃方法を図１〜３に基づいて説明する。
【００３１】
まず、下カバー１及び上カバー２のそれぞれの薄肉部分Ｒを一方の手の親指と人差し指とで挟む。
【００３２】
次に、他方の手の親指と人差し指とで突起３ａをつまみ、レンズ２０を図１、２の矢印で示す方向へ汚れが落ちるまで繰り返し動かす。このとき、レンズ清掃クロス９がレンズ２０の両面に接触するので、レンズ２０のよごれを除去できる。
【００３３】
薄肉部分Ｒの図２の矢印Ａで示す付近を指で挟めばレンズ本体４の突起３ａ側部分を清掃でき、矢印Ｂで示す付近を指で挟めばレンズ本体４の中央部を清掃でき、矢印Ｃで示す付近を指で挟めばレンズ本体４の回転軸６側部分を清掃できる。
【００３４】
なお、ルーペを使用して観察等を行うときには、カバー１０の薄肉部分Ｒ以外の部分を持てばよい。
【００３５】
また、レンズ清掃クロス９の交換は、レンズ２０をケース１０から引き出した状態（図２、３に示す状態）で行われる。
【００３６】
この実施形態によれば、薄肉部分Ｒを指で挟んでレンズ２０をケース１０に出し入れする度にレンズ２０（レンズ本体４）が清掃されるので、常にレンズ本体４をクリアな状態にしてルーペを使用することができ、レンズ２０を傷付けることもない。なお、薄肉部分Ｒ以外の部分は厚くなっているので、ルーペ使用時には厚くなっている部分を持つことにより、従来のルーペと同様の使い勝手と使用感とを得ることができる。また、レンズ２０をケース１０に収容したとき、レンズ２０の破損等を防止することができる。更に、レンズ清掃クロス９はレンズ出入り口２１の近傍に配置されているので、汚れたレンズ清掃クロス９をきれいなレンズ清掃クロス９に容易に交換することができるとともに、レンズ全体範囲の清掃が可能となる。
【００３７】
図４はこの発明の第２実施形態に係るルーペのレンズ２０をケース１０に収容した状態を示す平面図、図５はレンズをケースから引き出した状態のルーペの平面を示す概念図、図６（ａ）はレンズ２０をケース１０から引き出したときのケースとレンズ清掃クロスの断面を示す概念図、図６（ｂ）はレンズ清掃クロスの部分拡大図であり、第１実施形態と共通する部分には同一符号を付してその説明を省略する。
【００３８】
この実施形態では、レンズ本体４の周縁部の厚さｗ１とレンズ枠３の厚さをｗ２との間の関係を、ｗ２≦ｗ１とし、薄肉部分Ｒを設けて撓ませることなしにレンズ２０をケース１０に出し入れする際にレンズ清掃クロス９が常にレンズ本体４に接触するようにしレンズが清掃されるようにしたものである。この点で第２実施形態は第１実施形態と相違する。なお、図５、図６においてレンズ枠３のけハッチングを施した部分はレンズ本体より薄い部分である。
【００３９】
レンズ清掃クロス９のレンズ出入り口２１側の周縁部９ａはレンズ出し入れ時に引っかからないようにテーパ形状にされている（図６（ｂ）参照）。
【００４０】
この実施形態によれば、第１実施形態と同様の効果を奏するとともに、レンズ２０をケース１０に対して出し入れするとき、レンズ清掃クロス９がレンズ本体４に接触するので、薄肉部分Ｒを指で挟まなくてもレンズ本体４の汚れがふき取られる。また、レンズ清掃クロス９のレンズ出入り口２１側の周縁部をテーパ形状にしたので、レンズ２０をケース１０に収容するときにレンズ清掃クロス９にレンズ枠３が引っかかることが防止され、レンズ２０をケース１０に容易に収容することができる。
【００４１】
なお、この実施形態では、レンズ本体４の全周を保持するレンズ枠３を採用したが、例えばレンズ本体４の半周（収容方向の後側の半周）だけを保持するレンズ枠３を採用してもよい。
【００４２】
図７はこの発明の第３実施形態に係るルーペのレンズ１２０をケース１１０に収容したときのルーペの断面を示す概念図である。図７では下カバー１の図示は省略されている。
【００４３】
この実施形態ではレンズ１２０をスライドさせることによってケース１１０に対して出し入れできるようにした。この点で、第３実施形態は第１、２実施形態と相違する。
【００４４】
レンズ１２０は四角形のレンズ本体１０４とレンズ本体１０４を保持するレンズ枠１０３とで構成される。
【００４５】
ケース１１０はレンズ出入り口１２１を有する平面視四角形の箱状である。ケース１１０に対してレンズ１２０（レンズ本体１０４）がスライドして出入りできる。
【００４６】
ケース１１０内には、レンズ本体１０４と係合しレンズ１２０を矢印で示す方向（図７では上下方向）へスライドできるようにガイドするガイド溝１１１が設けられている。なお、図７において、実線はレンズ本体１０４をケース１１０に完全に収納した状態であり、破線はレンズ本体１０４の大部分をケース１１０から露出させた状態である。
【００４７】
レンズ本体１０４の挿入方向先端部の幅方向の両端には、ケース１１０のレンズ出入り口１２１の近傍に設けられた突起１１５と係合してレンズ１２０のケース１１０からの抜けを防止するためのストッパ１２５が設けられている。
【００４８】
ケース１１０のレンズ出入り口１２１の近傍には第１、２実施形態と同様にレンズ清掃クロス１０９が配置されている。
【００４９】
この実施形態によれば、第１、２実施形態と同様の効果を得ることができる。
【００５０】
図８はこの発明の第４実施形態に係るルーペをソフトケース２１０に収容した状態を示す平面図である。
【００５１】
この実施形態ではレンズ２２０を収納するケースをレンズ２２０と別体のソフトケース２１０にした。この点で、第４実施形態は第１実施形態と相違する。
【００５２】
ルーペはレンズ２２０とレンズ２２０に取り付けられた柄部２３０とで構成されている。柄部２３０はソフトケース２１０に形成された穴２１５から外部に突き出ている。ソフトケース２１０は平面視四角形の可撓性を有するケースであり、ソフトケース２１０の周縁部にいわゆるジッパー（図示せず）が設けられている。ジッパーはレンズ２２０を出し入れできるように例えばソフトケース２１０の周縁部のほぼ２／３に亘って設けられている（図８参照）。
【００５３】
ソフトケース２１０の内側にはレンズ清掃クロス２０９がレンズ２２０の両面に接触可能に配置されている。レンズ清掃クロス２０９は両面テープ等でソフトケース２１０の内側に貼り付けられており、交換することができる。なお、この実施形態ではレンズ清掃クロス２０９をソフトケース２１０の内側中央部に配置したが、ソフトケース２１０の内側全体に配置してもよい。
【００５４】
レンズ２２０の清掃は次の手順で行われる。
【００５５】
まず、スライダ２１２を矢印ａで示される方向へ動かしてジッパーの歯（図示せず）同士の嵌合状態を解き、ソフトケース２１０に対してレンズ２２０を出し入れできるようにする。
【００５６】
次に、ソフトケース２１０の外側からレンズ清掃クロス２０９を指で挟んで、レンズ清掃クロス２０９をレンズ２２０の両面に押し当てる。
【００５７】
その後、例えばソフトケース２１０をレンズ２２０に対して矢印ｂで示すように相対的に繰り返し移動させてレンズ２２０の汚れをふき取る。
【００５８】
この実施形態によれば、第１実施形態と同様の効果を得ることができる。
【００５９】
なお、本発明のソフトケースとしては第４実施形態のような四角形のレンズ２２０を収容する四角形のソフトケース２１０の他に、例えば円形のレンズを収容する平面視円形のソフトケースもある。
【符号の説明】
【００６０】
４，１０４：レンズ本体、１０，１１０，２１０：ケース、２０，１２０，２２０：レンズ、９，１０９，２０９：レンズ清掃クロス、２１，１２１：レンズ出入り口。
【図１】
2012027184.tif 000003
【図２】
2012027184.tif 000004
【図３】
2012027184.tif 000005
【図４】
2012027184.tif 000006
【図５】
2012027184.tif 000007
【図６】
2012027184.tif 000008
【図７】
2012027184.tif 000009
【図８】
2012027184.tif 000010